(57)【要約】【課題】おむつを利用している高齢者や幼児などの被介護者の排尿排便行為に対し、介護関係者と被介護者双方にとって最適なタイミングでのおむつ交換サービスの提供や、介護データ情報の登録の効率化及びその介護情報を利用した介護サービスネットワークを提供する。【解決手段】排尿排便行為やおむつ交換を感知するセンサに非接触型のタグやラベルを利用して、その情報配信装置に携帯端末情報装置の電子メールを用いることで、広範囲にいる任意複数の介護関係者の携帯端末情報装置の電子メールにリアルタイムで介護情報を配信することができ、また、その情報を携帯端末情報回線網やインターネットを通じて介護データベースサーバに自動的に記録することができるため、登録された介護情報などを介護サービスや食事サービス及び医療サービスなどの介護関係者の端末情報装置から介護情報データを容易に取得することができる。【選択図】図１
2004139545.tif 000002
【特許請求の範囲】
【請求項１】
おむつを使用している被介護者の生理行為である排尿排便行為によって、被介護者が着用しているおむつに予め貼付または内蔵した非接触型のタグやラベルの材料特性が変化もしくは異常や電波障害をきたし、その変化もしくは異常をおむつ外部の前面や背面に設置された非接触型のタグやラベルを感知するアンテナモジュールが検知し、アンテナモジュールが接続されている携帯電話やＰＨＳ等の携帯情報端末装置から排泄行為情報を予め登録された任意複数の被介護者の家族や介護ヘルパーなどの介護関係者の電子メールアドレスに自動配信することができるため、被介護者と介護関係者双方にとって最適なタイミングでおむつ交換を可能とするシステム。
【請求項２】
上記システムで配信された電子メールの情報に基づき、介護関係者が使用済みおむつを新たな同製品のおむつに交換してアンテナモジュールを所定の位置に設置すると、アンテナモジュールが接続されている携帯情報端末装置から予め登録された任意複数の介護関係者の電子メールアドレスへ正常に感知システムが動作したことを配信すると同時に、おむつ交換に関する介護情報を自動配信するシステム。
【請求項３】
上記システムで配信された電子メールの情報は、インターネット網上に設置された任意のメールサーバからデータベースサーバに排尿排便行為の時間及びおむつ交換時間等の介護情報を瞬時に自動登録し、必要に応じて介護サービスの申請に必要な介護情報データを簡便に作成すると共に、排尿排便回数に基づく健康状態の把握ができ、被介護者の食事療法や医療関係者への情報のフィードバックを可能とするシステム。
【請求項４】
上記システムで排尿排便行為を知らせる通知メールが配信された後、データベースサーバに任意に指定した時間が経過した場合に、再度通知メールを配信することにより、不注意等による介護関係者のおむつの遅延防止を可能とするシステム。
【発明の詳細な説明】
【０００１】
【発明の属する技術分野】
この発明は、非接触型のタグやラベルを利用したおむつを使用している被介護者の排尿排便行為に伴うおむつ取替のタイミングや介護情報を携帯情報端末装置を介して任意複数の介護関係者に効率良く電子メールにて通知することができ、また、その介護サービス情報をデータベースに自動登録することで、介護情報サービスの介護申請や食事療法、医療情報等へ実効性あるサービスの提供を可能とする技術である。
【０００２】
【従来の技術】
従来のおむつセンサは、排尿排便行為を直接感知するセンサとアンテナモジュールが一体となっているため、非常に高価なことから利用者が限定されてしまい、その結果全体的に介護関係者の労働負担の軽減及び被介護者の心身のストレス等の軽減がなされていないなどの問題がある。
【０００３】
また、従来の介護関係者へおむつセンサの異常を知らせる通信手段は、おむつセンサ側の無線親機から無線子機を携帯し、通信可能距離が最大半径でも数十ｍ以内にいる特定の介護関係者に対して音声や信号によって知らせるタイプのものであり、通信範囲外にいる介護関係者や無線子機を持たない任意複数の介護関係者に同時に情報を配信できないなどの問題がある。
【０００４】
センサ親機から発信された情報は、音声や信号によってのみ介護関係者に通知されるため、排尿排便時間の状況等をアナログデータで記録し、その後パソコン等のデータ処理装置に記録する方法となっている。また、おむつ交換等の介護情報も別途手作業により記録する方法であることから、介護サービス申請等に必要な情報データ登録作業が煩雑となっている。
【０００５】
従来のおむつセンサでは遠隔地にいる家族等の介護依頼者に対し、おむつセンサから直に被介護者の健康状態を把握できる排尿排便状況や介護サービス情報を通知することができないことから、介護当事者やその関係者からの連絡サービス以外知る由もなく、リアルタイムによる介護サービスの監視ができない状況にある。
【０００６】
被介護者の排尿排便行為の状況を把握し、食事療法や医療情報のネットワークへ活用する場合には、排尿排便行為や介護情報のデータ登録を介護作業時以外に行うことが必要であり、非常に非効率な作業環境であると同時にリアルタイムな介護サポートが行えない状況にある。
【０００７】
【発明が解決しようとする課題】
従来のおむつセンサを利用した介護システムは上記のとおり構成されているので、被介護者の排尿排便行為による介護関係者のおむつ交換は取替作業効率が悪いなどの問題点があり、また、おむつセンサから発信された情報を通信範囲外にいる任意複数の介護関係者に対して、被介護者の排尿排便情報や介護サービス状況をリアルタイムに配信できないことから、被介護者と介護関係者双方にとって最適なタイミングでおむつ交換を可能とすることができないなどの問題があった。更に、介護サービス申請等に必要な介護情報のデータベース化作業は非常に非効率であり、また、その情報を食事療法や医療情報へ自動的に活用処理できるネットワークシステムの構築が必要となっている。
【０００８】
この発明は、上記問題点を解決するためになされたものであり、広範囲な通信範囲を網羅すると同時に任意複数の介護関係者に対してリアルタイムで介護情報の配信を行うことができ、最適なタイミングでのおむつ交換やおむつセンサ交換に於ける作業の効率化を可能とし、更に介護サービス情報のデータベース化作業の効率化を計ることを目的とする。
【０００９】
【課題を解決するための手段】
この発明に係る第１のシステムは、被介護者の排尿排便行為の感知と介護者のおむつ交換作業の効率化を図るため、センサとアンテナモジュールが分離されている非接触型のタグやラベルを排尿排便行為の感知センサとして利用することで、簡単におむつにセンサを貼付もしくは内蔵することができ、アンテナモジュールを携帯端末情報装置に接続させることで排尿排便行為や介護サービスの情報を配信できるようにしたものである。
【００１０】
この発明に係る第２のシステムは、広範囲な通信範囲を網羅する携帯情報端末装置やインターネット端末装置を利用するため、リアルタイムで任意複数の介護関係者の電子メールに被介護者の排尿排便行為の状況を配信することができ、被介護者と介護関係者双方にとって最適なタイミングでのおむつ交換や介護サービス状況の報告も同様に配信することを可能としたものである。
【００１１】
この発明に係る第３のシステムは、被介護者の排尿排便行為や介護サービス情報をデータベースサーバに自動的に蓄積することができ、また、その情報を利用したい場合にはインターネット等のネットワークを利用して、介護サービスデータの抽出等を可能としたものである。
【００１２】
【発明の実施の形態】
この発明の実施の形態を図１と図２に示す。１は被介護者が使用する一般的なおむつを示し、２はおむつに貼付もしくは内蔵する非接触型のタグやラベルなどのセンサ装置で、排尿排便行為によってセンサの材料特性が変化もしくは異常や電波障害をきたすことで、おむつ外部の前面や背面に設置された３のアンテナから４のコードを通じて５のモジュールがセンサの異常を感知し、６の被介護者側の携帯端末情報装置が作動する。
【００１３】
６の被介護者側の携帯端末情報装置に５のモジュールを接続させると、このシステムサービス情報を配信する際に必要な初期情報や介護関連者の電子メールアドレス先が任意複数入力できるように携帯端末情報装置の画面に表示されるようになっており、入力画面の指示事項に従って必要な事項を設定する。
【００１４】
６の被介護者側の携帯端末情報装置の設定が終了すると、正常におむつセンサが作動したことを示す情報が９の介護関係者の携帯端末情報回線網や１０のインターネットを通じて、７の介護関係者側の携帯端末情報装置や８の端末情報装置などの電子メールに配信され、１１のＷＷＷサーバを通じて１２の介護情報データベースサーバに自動的に記録することができる。
【００１５】
被介護者の排尿排便行為によりおむつセンサが作動し、６の被介護者側の携帯端末情報装置から、７の介護関係者側の携帯端末情報装置や８の電子メールに排泄行為日時などの情報が自動配信されるため、介護関係者は被介護者にとって最適なタイミングでおむつ交換を行うことができ、その排尿排便行為の情報を１２の介護情報データベースサーバに自動的に記録することができる。
【００１６】
被介護者の排尿排便行為がなされたおむつを新たな非接触型のタグやラベルを貼付もしくは内蔵したセンサ付のおむつに交換し、３のアンテナを所定の位置に設置して５のモジュールを６の携帯端末情報装置に接続させると、再度正常に非接触型のセンサが作動することで、おむつ交換作業の実施情報を６の携帯端末情報装置や７の端末情報装置の電子メールに自動的に配信することができ、その情報を１２の介護情報データベースサーバに自動的に記録することができる。
【００１７】
７の介護関係者側の携帯端末情報装置や８の端末情報装置の電子メールに被介護者の排尿排便行為の情報が配信された後、一定時間が過ぎても新たなおむつ交換がなされなかった場合は、再度電子メールに情報配信を行うことができるため、介護関係者によるおむつ交換の失念を防ぐことができる。
【００１８】
１２の介護情報データベースサーバに蓄積された介護情報は、１０のインターネットを通じて１３の介護サービス関係者の端末情報装置に取込むことができる。
【００１９】
１４の食事サービス関係者や医療サービス関係者の端末情報装置に被介護者の介護情報などを１０のインターネットを通じて、１２の介護情報データベースサーバから取込むことができ、また、１４の端末情報装置の電子メールにリアルタイムで被介護者の排尿排便状態や介護状態を送信することができる。
【００２０】
【発明の効果】
上述したとおり、この発明は高齢者や幼児などの被介護者の排尿排便行為を簡易に感知し、その情報をリアルタイムで被介護者側の携帯端末情報装置から任意複数の介護関係者の電子メールに自動的に配信することができるため、介護関係者と被介護者双方にとって最適なタイミングでおむつ交換を行うことができる、という効果を秦する。また、その際のセンサ付おむつの交換作業や介護サービス情報のデータ登録の効率化、食事サービスや医療サービス関係者との情報ネットワーク化などを計ることができ、従来のおむつセンサでは実現できなかった高度で効果的なネットワークシステム機能を有しているため、このシステムの実用性は非常に高く、今後の介護サービスや育児サービスビジネスなどに有効に展開できる、という効果を秦する。
【図面の簡単な説明】
【図１】非接触型のタグやラベルを貼付もしくは内蔵したおむつと、そのセンサ部の異常を検知するアンテナとモジュール及びその情報を配信する携帯端末情報装置の構成を示す図である。
【図２】この発明のネットワークシステム構成を示すブロック図である。
【符号の説明】
１　おむつ
２　非接触型のタグやラベル
３　アンテナ
４　コード
５　モジュール
６　被介護者側の携帯端末情報装置
７　任意複数の介護関係者側の携帯端末情報装置
８　任意複数の介護関係者側の端末情報装置
９　携帯端末情報回線網
１０　インターネット
１１　ＷＷＷサーバ
１２　介護情報データベースサーバ
１３　介護サービス関係者の端末情報装置
１４　食事サービス関係者や医療サービス関係者の端末情報装置
【図１】
2004139545.tif 000003
【図２】
2004139545.tif 000004